(57)【要約】【課題】スタッキングされた多数の紙容器から紙容器を一つずつ抜き取りやすくする。【解決手段】紙容器１は，下部から上部に向けて全体的に径が大きくなっている円筒状の胴部材11と，胴部材11の底を塞ぐ底部材12とを備えている。底部材12に近い上記胴部材11の内面に，内方に突出する内方突出リブ15が周方向に形成されている。内方突出リブ15によって局所的に狭められる胴部材15の内径が上記底部材12の外径よりも狭く，スタックが途中で止められる。【選択図】図３
2019199284.tif 000002
【特許請求の範囲】
【請求項１】
下部から上部に向けて全体的に径が大きくなっている胴部と底を塞ぐ底部とを備え，
上記底部に近い上記胴部の内面に，内方に突出する内方突出リブが周方向に形成されており，
上記内方突出リブによって局所的に狭められる上記胴部の内径が上記底部の外径よりも狭い，
紙容器。
【請求項２】
下部から上部に向けて全体的に径が大きくなっている胴部と底を塞ぐ底部とを備え，
上記底部に近い上記胴部の内面に，内方に突出する内方突出リブが周方向に形成されており，
上記内方突出リブによって局所的に狭められる上記胴部の内径が，上記内方突出リブよりも下方の胴部内径と等しい，
紙容器。
【請求項３】
上記内方突出リブが，内方に突出する胴部の湾曲によって形成されている，
請求項１または２に記載の紙容器。
【請求項４】
上記内方突出リブが，上記胴部の内面に塗布される熱可塑性樹脂によって形成されている，
請求項１または２に記載の紙容器。
【請求項５】
複数の内方突出リブが互いに間隔をあけて一列に並んで形成されている，
請求項１から４のいずれか一項に記載の紙容器。
【請求項６】
上記内方突出リブが全周にわたって連続して形成されている，
請求項１から５のいずれか一項に記載の紙容器。
【請求項７】
下部から上部に向けて全体的に径が大きくなっている胴部と底を塞ぐ底部とを備え，
上記底部に近い胴部の外面に，外方に突出する外方突出リブが周方向に設けられており，
上記外方突出リブによって局所的に広げられる上記胴部の外径が上記外方突出リブよりも上方の胴部の内径と等しい，
紙容器。
【請求項８】
上記外方突出リブが，外方に突出する上記胴部の湾曲によって形成されている，
請求項７に記載の紙容器。
【請求項９】
上記外方突出リブが，上記胴部の外面に塗布された熱可塑性樹脂によって形成されている，
請求項７または８に記載の紙容器。
【請求項１０】
複数の外方突出リブが互いに間隔をあけて一列に並んで形成されている，
請求項７から９のいずれか一項に記載の紙容器。
【請求項１１】
上記外方突出リブが全周にわたって連続して形成されている，
請求項７から９のいずれか一項に記載の紙容器。
【発明の詳細な説明】
【技術分野】
【０００１】
この発明は紙容器に関する。
【背景技術】
【０００２】
内容物が入った紙カップを電子レンジで加熱，調理した場合，紙カップの胴部の下端部を延ばして形成された，いわゆる糸尻の部分に焦げが生じることがあるという問題がある。特許文献１は，これを防止する紙カップ，すなわち糸尻を持たない，ほぼフラットな底面の紙カップを開示する。
【先行技術文献】
【特許文献】
【０００３】
【特許文献１】特開平１１−１１５４１号公報
【０００４】
紙カップはスタッキングされた（積み重ねられた）状態で搬送される。搬送先ではスタッキング状態の紙カップから紙カップが一つずつ抜き取られ，内容物の充填，外装加工等が行われるが，糸尻を持つ紙カップに比べてフラットな底面を持つ紙カップはスタッキング状態から抜き取りにくいことから，紙カップが抜き取られなかったり，複数の紙カップが重なった状態で抜き取られてしまうことがある。
【発明の開示】
【０００５】
この発明は，スタッキングされた状態の紙容器から紙容器を一つずつ抜き取りやすくすることを目的とする。
【０００６】
第１の発明による紙容器は，下部から上部に向けて全体的に径が大きくなっている胴部と底を塞ぐ底部とを備え，上記底部に近い上記胴部の内面に，内方に突出する内方突出リブが周方向に形成されており，上記内方突出リブによって局所的に狭められる上記胴部の内径が上記底部の外径よりも狭いことを特徴とする。
【０００７】
上記胴部の内面に内方に突出する内方突出リブが周方向に形成されている。複数の内方突出リブを互いに間隔をあけて周方向に一列に並べて形成してもよいし，全周にわたって連続する，すなわち環状の内方突出リブを胴部の内面に形成してもよい。
【０００８】
内方突出リブによって局所的に狭められる胴部の内径が底部の外径よりも狭いので，紙容器をスタックする（重ねる）と，一方（下側）の紙容器の内方突出リブの上に他方（上側）の紙容器の底部が乗り，スタックを途中で止める（完全に重ならないようにする）ことができる。スタッキング状態において一方の紙容器と他方の紙容器との間に隙間が確保されるから，スタッキング状態から上側の紙容器を取出し易い（抜き取り易い）。内方突出リブは底部に近い胴部内面に形成されているので，複数の紙容器を積み重ねても，それら全体の高さを低く抑えることができ，あまり嵩張ることがない。
【０００９】
内方突出リブの高さ位置（底部からの距離）が底部に近ければ近いほど，スタッキングの嵩張りを少なくすることができるのは言うまでもなく，たとえば底部に接する程度の高さ位置に内方突出リブを形成することで，嵩張りを最大限に少なくすることができる。もっとも，この発明はスタッキングされた多数の紙容器から紙容器を一つずつ抜き取りやすくすることを主目的とし，この目的に着目すれば，底部に接する程度の高さ位置ではなく，底部からいくらかの距離をあけて内方突出リブを形成してもよい。いずれにしても，紙容器を一つずつ抜き取りやすくし，かつスタッキング状態における嵩張りを少なくするために，底部に近い胴部内面に内方突出リブは形成される。この発明は，スタックしたときに抜き取りがしにくくなる底面がフラットな紙容器に特に好適である。
【００１０】
一実施態様では，上記内方突出リブが，内方に突出する胴部の湾曲（胴部の変形，押し罫）によって形成されている。胴部自体に内方突出リブを形付ける態様である。
【００１１】
他の実施態様では，上記内方突出リブが，上記胴部の内面に塗布される熱可塑性樹脂によって形成されている。熱可塑性樹脂のみによって内方突出リブを形成してもよいし，内方に突出する胴部の湾曲と塗布される熱可塑性樹脂の組み合わせによって内方突出リブを形成してもよい。
【００１２】
第２の発明による紙容器は，下部から上部に向けて全体的に径が大きくなっている胴部と底を塞ぐ底部とを備え，上記底部に近い上記胴部の内面に，内方に突出する内方突出リブが周方向に形成されており，上記内方突出リブによって局所的に狭められる上記胴部の内径が，上記内方突出リブよりも下方の胴部内径と等しいことを特徴とする。
【００１３】
第１の発明による紙容器と異なり，第２の発明の紙容器は，スタックするとその途中で一方（下側）の紙容器の内方突出リブの頂部に他方（上側）の紙容器の胴部外面が接触して引っ掛かりを生じ，これによってスタックを途中で止めることができる。第１の発明と同様に，スタッキング状態において一方の紙容器と他方の紙容器との間に隙間が確保されるから，スタッキング状態から上側の紙容器を取出し易い（抜き取り易い）。
【００１４】
第３の発明による紙容器は，下部から上部に向けて全体的に径が大きくなっている胴部と底を塞ぐ底部とを備え，上記底部に近い胴部の外面に，外方に突出する外方突出リブが周方向に設けられており，上記外方突出リブによって局所的に広げられる上記胴部の外径が上記外方突出リブよりも上方の胴部の内径と等しいことを特徴とする。
【００１５】
第３の発明による紙容器をスタックする（重ねる）と，一方（下側）の紙容器の胴部内面に，他方（上側）の紙容器の外方突出リブの頂部が途中で引っ掛かり，そこでスタックを止める（完全に重ならないようにする）ことができる。第３の発明においても，スタッキング状態において一方の紙容器と他方の紙容器との間に隙間が確保され，スタッキングしても上側の紙容器を取出し易い（抜き取り易い）。外方突出リブは，底部に近い胴部の外面に形成されているので，複数の紙容器を（積み）重ねてもそれら全体の高さを低く抑えることができ，あまり嵩張らずにスタック性も良い。
【００１６】
外方突出リブについても，胴部の湾曲（胴部の変形，押し罫）によって外方突出リブを形成してもよいし，胴部の外面に塗布された熱可塑性樹脂によって外方突出リブを形成してもよい。また，複数の外方突出リブを互いに間隔をあけて周方向に一列に並べて形成してもよく，全周にわたって連続する外方突出リブを胴部の外面に形成してもよい。
【図面の簡単な説明】
【００１７】
【図１】内方突出リブを備える紙容器の一部を破断して示す正面図である。
【図２】変形例の内方突出リブを備える紙容器の一部を破断して示す正面図である。
【図３】スタッキング状態の紙容器の線図による断面図である。
【図４Ａ】変形例の紙容器の下部の一部拡大断面図である。
【図４Ｂ】他の変形例の紙容器の下部の一部拡大断面図である。
【図４Ｃ】さらに他の変形例の紙容器の下部の一部拡大断面図である。
【図５】外方突出リブを備える，スタッキング状態の紙容器の線図による断面図である。
【図６】他の実施例の内方突出リブを備える紙容器の一部拡大断面図である。
【図７】さらに他の実施例の内方突出リブを備える紙容器の一部拡大断面図である。
【図８】他の実施例の外方突出リブを備える紙容器の一部拡大断面図である。
【図９】さらに他の実施例の外方突出リブを備える紙容器の一部拡大断面図である。
【実施例】
【００１８】
図１はこの発明の実施例による紙容器の一部を破断して示す正面図である。
【００１９】
紙容器１は，紙を主強度部材とする胴部材11と底部材12とから構成されている。胴部材11は上部の径が大きく，下にいくほど径の小さくなる円筒状である。胴部材11の上端部は外側（外方）に巻かれており，いわゆるカール部11Ａが形成されている。カール部11Ａには蓋（図示略）が被せられるか，または接合（接着，溶着）される。
【００２０】
胴部材11の下端部は内側（内方）にほぼ直角に屈曲され（屈曲部を符号11Ｂで示す），屈曲部11Ｂが底部材12の内面に重ねられている。底部材12は円形のもので，その周縁部分12Ａが上側（上方）にほぼ直角に屈曲されており，周縁部分12Ａの内面に胴部材11の外面が重ねられている。互いに重なり合う胴部材11の屈曲部11Ｂと底部材12の周縁部分12Ａとは少なくとも部分的に，好ましくは全面的に，互いに接合（接着，溶着）（固定）されている。胴部材11および底部材12の内面および／または外面には，必要に応じて保護膜（樹脂膜，樹脂フィルムなど）が被覆される。たとえばポリエチレン（ＰＥ），ポリプロピレン（ＰＰ），ポリエステル，エチレン酢酸ビニル共重合体などを，保護膜に用いることができる。これらは熱シールによる貼り合わせにも用いることができる。
【００２１】
図４Ａに示すように，胴部材11の下端部を内側にほぼ直角に屈曲し（屈曲部11Ｃ），さらに屈曲部11Ｃの先端部を内側に折り返し（折り返し部11Ｄ），底部材12の周縁部分を外側に折り返し（折り返し部12Ｂ），底部材12の折り返し部12Ｂを，胴部材11の屈曲部11Ｃと折り返し部11Ｄとの間に挟み込んでもよい。糸尻部分を内側に折り曲げて底部材12の外面に重ねたものであり，これによって胴部材11と底部材12の接合部分を水密にすることができ，かつ底面をおおよそフラットにすることができる。図４Ａに示す紙容器の底面（外面）は完全にフラットではないものの，接合部分を比較的強い力で内外から挟むことで接合部分の厚さを薄くすることができ，これによってほぼフラットな底面を形付けることができる（図４Ａでは，分かりやすくするために紙厚が強調して示されている）。もっとも，たとえば発泡剤（図示略）を底部材12の外面に設けることによって，図４Ａに示す紙容器の底面を完全にフラットにすることも可能である。糸尻部分は，内側に折り曲げるのに代えて，外側に折り曲げて，胴部材11の外面に沿わせてもよい。
【００２２】
さらに図４Ｂに示すように，底部材12の屈曲周縁部12Ａを胴部材11の下部の内面に接合し，胴部材11の下端屈曲部11Ｂを，底部材12によって形成される底面の周縁部の外面に被さるように接合してもよい。図４Ｃに示すように，底部材12の周縁部12Ｂを外向きに折り返し，この折り返し部分12Ｂの外面と胴部材11の下端屈曲部11Ｂとを接合してもよい。図４Ｂおよび図４Ｃに示す紙容器もほぼフラットな底面を持つものである。いずれにしても，この実施例の紙容器は，好適には胴部材11の下端部を延ばして形成される，いわゆる糸尻を持たないものである。
【００２３】
図１に戻って，胴部材11の内面に，内方に突出する複数のリブ（以下，「内方突出リブ」という）15が，互いに間隔をあけて一周にわたって形成されている。
【００２４】
複数の内方突出リブ15は紙容器１の高さ方向の比較的低い位置に，底部材12とほぼ平行に並んで形成されている。高さ位置については，底部材12にさらに近い位置に形成することもできるし，高い位置に形成することもできる。もっとも，複数の内方突出リブ15は，後述するようにスタッキングされる他の紙容器の底部材12を乗せる，または内方突出リブ15によって他の紙容器の胴部材11を挟むためのものであるから，スタッキングされたときの嵩張りを考慮すると，できるだけ低い位置（底部材12に近い位置）に形成するのが好ましい。
【００２５】
図１に示す内方突出リブ15は横方向にやや細長い形状を備えるが，その形状は点状（半球状）その他であってもよい。内方突出リブ15の大きさ，内方突出リブ15同士の間隔，および内方突出リブ15の数については適宜設計することができる。さらに，図２に示すように，複数の内方突出リブ15に代えて，一つの環状の内方突出リブ15Ａを胴部材11の内面に形成してもよい。
【００２６】
内方突出リブ15（内方突出リブ15Ａも同様）は展開状態の胴部材11の外側から押し型を押し付けることによって形成することができる。押し型が押し付けられた箇所の胴部材11には，外面に窪みが，内面に突起が，それぞれ形成される。詳細な図示は省略するが，内方突出リブ15が形成された箇所では，胴部材11を構成する紙部材の伸びが生じ，紙部材の厚さがやや薄くなる。
【００２７】
図３は紙容器１を線図によって示す縦断面図であり，紙容器１に同一形状および寸法の他の紙容器１ａ（二点鎖線で示す）がスタッキングされている様子を示している。
【００２８】
胴部材11の内面の内方突出リブ15によって胴部材11の内径は局所的に狭まっており，内方突出リブ15が形成されている箇所の胴部材11の内径Ｗ１は，底部材12の外径よりも狭い。紙容器１に他の紙容器１ａをスタックすると，スタックされた上側の紙容器１ａの底部材12の周縁部分が下側の紙容器１の内方突出リブ15の上に乗ることになる。内方突出リブ15を，底部材12に近い，紙容器１，１ａの高さ方向の比較的低い位置に形成することで，上側の紙容器１ａは内方突出リブ15の位置まで深く入り込み，複数の紙容器をスタックしてもそれら全体の高さを低く抑えることができ，大きな嵩張りを生じないようにすることができる。
【００２９】
内方突出リブ15が形成されている箇所の胴部材11の内径Ｗ１は，底部材12の外径よりも狭くする必要は必ずしもなく，たとえば底部材12の外径と等しくしてもよいし，底部材12の外径よりもわずかに小さくてもよい。典型的には，内方突出リブ15が形成されている箇所の胴部材11の内径Ｗ１は，内方突出リブ15よりも下方の胴部材11の内径と等しくされる。この場合，紙容器１，１ａをスタッキングすると，途中で下側の紙容器１の内方突出リブ15の頂部に上側の紙容器１ａの胴部材11の外周面が接触し，これによって上側の紙容器１ａのスタックを止めることができる。
【００３０】
高さ方向の途中でスタックが止められることで，２つの紙容器の底部材12同士が完全に重なり合わずにそれらの間に隙間が確保される。また，胴部材11の径が上に向うにつれて連続的に大きくなっているので，胴部材11同士の間にもわずかな隙間を確保することができる。このためスタックしても上側の紙容器１ａを取出し易い（抜き取り易い）。
【００３１】
図５は他の実施例を示すもので，一の紙容器２に他の紙容器２ａ（二点鎖線で示す）がスタッキングされている状態を線図によって示している。
【００３２】
紙容器２は，胴部材11の外面に外方（側方）に突出する複数のリブ（以下，外方突出リブという）16が形成されている点が，胴部材11の内面に内方に突出する内方突出リブ15が形成されている図１〜図３の紙容器１と異なっている。この実施例においても，複数の外方突出リブ16は互いに間隔をあけて一周にわたって形成することもできるし，連続する環状の外方突出リブを形成することもできる。外方突出リブ16は，展開状態の胴部材11の内側から押し型を押し付けることによって形成される。
【００３３】
胴部材11の径が上に向うにつれて連続的に大きくなっているので，一の紙容器２に他の紙容器２ａをスタックすると，上側の紙容器２ａが下側の紙容器２に完全に重なり合う前に，上側の紙容器２ａの外方突出リブ16が下側の紙容器２の胴部材11の内面に引っ掛かり，そこでスタックが止まる。典型的には，上記外方突出リブ16によって局所的に広げられる胴部材11の外径Ｗ２を，外方突出リブ16よりも上方の胴部材11の内径と等しくすればよい。２つの紙容器の底部材12同士の間，および胴部材11同士の間に隙間を確保することができ，スタックしても上側の紙容器２ａを取出し易い（抜き取り易い）。
【００３４】
図６および図７は，いずれもさらに他の実施例の内方突出リブを示すもので，紙容器の一部拡大縦断面図を示している。
【００３５】
上述したように，内方突出リブ15を形成するために押し型を胴部材11の外面に押し付けると，その箇所において胴部材11を構成する紙部材に伸びが生じて厚さが薄くなり，胴部材11の強度が低下する。紙部材の坪量が小さければ小さいほど，また内方突出リブ15の突き出し量を大きくすればするほど，内方突出リブ15を形成することによって胴部材11に加わるダメージは大きくなる。
【００３６】
図６に示す実施態様では，浅い内方突出リブ15Ｂａと，内方突出リブ15Ｂａの凸部（頂部）に塗布される熱可塑性樹脂15Ｂｂとの組み合わせによって，内方突出リブ15Ｂが構成されている。押し型によって形成される内方突出リブ15Ｂａを浅く形成することで，胴部材11に加わるダメージを軽減することができる。内方突出リブ15Ｂａの凸部（頂部）に熱可塑性樹脂15Ｂｂを重ねることによって，内方突出リブ15Ｂ全体の突き出し量が確保されるので，他の紙容器を確実にスタックすることができる。
【００３７】
図７に示すように，胴部材11の内面にやや厚く熱可塑性樹脂15Ｃａを塗布し，この熱可塑性樹脂15Ｃａのみによって内方突出リブ15Ｃを形成してもよい。胴部材11に変形（伸び）は加えられないので，内方突出リブの形成に伴う胴部材11に対するダメージを無くすことができる。
【００３８】
外方突出リブについても同様である。図８の実施態様においては，胴部材11の外面に形成された浅い外方突出リブ16Ａａと，その凸部（頂部）に重ねられて塗布された熱可塑性樹脂16Ａｂとによって，外方突出リブ16Ａが形成されている。図９の実施態様においては，胴部材11自体に変形は加えられずに，熱可塑性樹脂16Ｂａのみによって外方突出リブ16Ｂが形成されている。
【符号の説明】
【００３９】
１，１ａ，２，２ａ  紙容器
11  胴部材
12  底部材
15，15Ａ，15Ｂ，15Ｃ  内方突出リブ
15Ｂｂ，15Ｃａ，16Ａｂ，16Ｂａ  熱可塑性樹脂
16，16Ａ，16Ｂ  外方突出リブ
【図１】
2019199284.tif 000003
【図２】
2019199284.tif 000004
【図３】
2019199284.tif 000005
【図４Ａ】
2019199284.tif 000006
【図４Ｂ】
2019199284.tif 000007
【図４Ｃ】
2019199284.tif 000008
【図５】
2019199284.tif 000009
【図６】
2019199284.tif 000010
【図７】
2019199284.tif 000011
【図８】
2019199284.tif 000012
【図９】
2019199284.tif 000013